(57)【要約】　　　（修正有）【課題】竹の子の皮に対する皮剥ローラの摩擦力を高めて、滑りの少ない効率的な皮剥きができるとともに、各皮剥ローラの角速度を異ならせて竹の子の巻き込みを防止し、皮剥ローラ間の隙間幅を変化させて多種多様な竹の子の皮を剥くことができる簡易型竹の子用皮剥機を提供する。【解決手段】竹の子６が載せられる一対の皮剥ローラ２と、これらの皮剥ローラ２を略水平方向に隙間を空けて並べて支持する支持体３とを備えた簡易型竹の子用皮剥機１Ａであって、各皮剥ローラ２の一端には、互いに噛合する歯数の異なる歯車４を取り付けるとともに、いずれか一方の皮剥ローラ２の端部には、回転力を付与するための回転ハンドル５を取り付け、各皮剥ローラ２は、両者の隙間幅が一方の端部から他方の端部にかけて徐々に狭くなるように支持し、さらに各皮剥ローラ２の外周面には、複数の直線状の溝２１を軸線方向に形成した。【選択図】　　　図４
0003098330.tif 000002
【実用新案登録請求の範囲】
【請求項１】
竹の子が載せられる一対の皮剥ローラと、これらの皮剥ローラを略水平方向に隙間を空けて並べて支持する支持体とを備え、
前記各皮剥ローラの一端には、互いに噛合する歯数の異なる歯車が取り付けられているとともに、いずれか一方の皮剥ローラの端部には、回転力を付与するための回転ハンドルが取り付けられており、
前記各皮剥ローラは、両者の隙間幅が一方の端部から他方の端部にかけて徐々に狭くなるように支持されており、さらに各皮剥ローラの外周面には、複数の直線状の溝が軸線方向に形成されていることを特徴とする簡易型竹の子用皮剥機。
【請求項２】
竹の子が載せられる円錐台形状の一対の皮剥ローラと、これらの皮剥ローラを略水平方向に隙間を空けて並べて支持する支持体とを備え、
前記各皮剥ローラの一端には、互いに噛合する歯数の異なる歯車が取り付けられているとともに、いずれか一方の皮剥ローラの他端には、回転力を付与するための回転ハンドルが取り付けられており、
前記各皮剥ローラは、大径部および小径部が隣位するように支持されており、さらに各皮剥ローラの外周面には、複数の直線状の溝が軸線方向に形成されていることを特徴とする簡易型竹の子用皮剥機。
【請求項３】
請求項１または請求項２において、前記回転ハンドルは、前記一対の皮剥ローラに対して、その隙間幅が狭い方の端部側に取り付けられていることを特徴とする簡易型竹の子用皮剥機。
【請求項４】
請求項１から請求項３のいずれかにおいて、前記回転ハンドルは、前記一対の皮剥ローラのうち、歯数の少ない歯車が取り付けられた皮剥ローラ側に取り付けられていることを特徴とする簡易型竹の子用皮剥機。
【請求項５】
請求項１から請求項４のいずれかにおいて、前記歯数の少ない歯車と歯数の多い歯車との歯車比は、１：１．２５であることを特徴とする簡易型竹の子用皮剥機。
【考案の詳細な説明】
【０００１】
【考案の属する技術分野】
本考案は、簡易な構成で竹の子の皮を剥くための簡易型竹の子用皮剥機であって、特に、笹の子や根曲がり竹等の細くて皮の剥きにくい竹の子を茹でて柔らかい状態にして皮を剥くのに好適な簡易型竹の子用皮剥機に関する。
【０００２】
【従来の技術】
従来より、竹の子の皮を剥くための竹の子用皮剥機が提案されており、例えば、実開昭６４−１７６２６号公報には、自動的に竹の子の皮を剥き取る目的で筍自動皮むき機が提案されている。この筍自動皮むき機は、２本の細長いローラと、このローラを連動するように内側に回転させる歯車と、スキ間を有し、このスキ間とローラ間が平行となるように載置される溝盤と、この溝盤のスキ間上に固定され、筒状の曲がりをもった差込口と、この差込口の上に取り付けられたキズ入れ刃とを備えていることを特徴とする。そして、差込口から竹の子の先端を差込み、ローラに巻き込んだ皮を溝盤のスキ間を通して順次剥き取るようになっている。
【０００３】
【考案が解決しようとする課題】
しかしながら、前述した実開昭６４−１７６２６号公報に記載の筍自動皮むき機は、２本のローラの外周面が平滑であるため、ローラと竹の子の皮との間に滑りが生じ、皮剥き効率が悪いという問題がある。しかも、モータにより回転駆動しているので、連続して使用していると、ローラに剥きかすや皮が付着して、竹の子の皮がローラに巻き込まれにくくなったり、万一、自分の指や袖の裾等が挟まってしまった場合に、急に停止や逆回転させることができず怪我をしてしまうおそれもある。また、歯数の等しい歯車によってローラが等速度で回転させられるため、竹の子がローラ間に巻き込まれて潰されてしまうおそれがある。さらに、皮を剥く際には、いちいち差込口に竹の子の先端を差し込まなければならず、大変面倒である。
【０００４】
本考案は、このような問題点を解決するためになされたものであって、竹の子の皮に対する皮剥ローラの摩擦力を高めて、滑りの少ない効率的な皮剥きができるとともに、各皮剥ローラの角速度を異ならせて竹の子の巻き込みを防止し、皮剥ローラ間の隙間幅を大小に形成して比較的細い竹の子の皮を少ない回転数で安全に剥くことができる簡易型竹の子用皮剥機を提供することを目的としている。
【０００５】
【課題を解決するための手段】
本考案に係る簡易型竹の子用皮剥機の特徴は、竹の子が載せられる一対の皮剥ローラと、これらの皮剥ローラを略水平方向に隙間を空けて並べて支持する支持体とを備え、前記各皮剥ローラの一端には、互いに噛合する歯数の異なる歯車が取り付けられているとともに、いずれか一方の皮剥ローラの端部には、回転力を付与するための回転ハンドルが取り付けられており、前記各皮剥ローラは、両者の隙間幅が一方の端部から他方の端部にかけて徐々に狭くなるように支持されており、さらに各皮剥ローラの外周面には、複数の直線状の溝が軸線方向に形成されている点にある。
【０００６】
また、本考案に係る簡易型竹の子用皮剥機の特徴は、竹の子が載せられる円錐台形状の一対の皮剥ローラと、これらの皮剥ローラを略水平方向に隙間を空けて並べて支持する支持体とを備え、前記各皮剥ローラの一端には、互いに噛合する歯数の異なる歯車が取り付けられているとともに、いずれか一方の皮剥ローラの他端には、回転力を付与するための回転ハンドルが取り付けられており、前記各皮剥ローラは、大径部および小径部が隣位するように支持されており、さらに各皮剥ローラの外周面には、複数の直線状の溝が軸線方向に形成されている点にある。
【０００７】
また、本考案では、作業者が竹の子の後側を手に持って先端側を皮剥ローラの隙間に挿入して作業を行うことに鑑み、作業者の正面で作業をし易くするために、前記回転ハンドルは、前記一対の皮剥ローラに対して、その隙間幅が狭い方の端部側に取り付けられていることが好ましい。
【０００８】
また、本考案では、小さい力で回転ハンドルを回転するため、前記回転ハンドルは、前記一対の皮剥ローラのうち、歯数の少ない歯車が取り付けられた皮剥ローラ側に取り付けられていることが好ましい。
【０００９】
さらに、本考案では、スムーズに竹の子の皮を剥くため、前記歯数の少ない歯車と歯数の多い歯車との歯車比は、１：１．２５であることが好ましい。
【００１０】
【考案の実施の形態】
以下、本考案に係る簡易型竹の子用皮剥機の実施形態の一例を図面を用いて説明する。
【００１１】
図１は、本考案に係る簡易型竹の子用皮剥機１Ａの第１の実施形態の概観斜視図であり、図２は図１の反対側から見た概観斜視図である。本第１実施形態の簡易型竹の子用皮剥機１Ａは、主として、竹の子６が載せられる一対の皮剥ローラ２，２と、これらの皮剥ローラ２，２を支持する支持体３と、各皮剥ローラ２，２の一端に取り付けられる歯車４ａ，４ｂと、いずれか一方の皮剥ローラ２の他端に取り付けられる回転ハンドル５とから構成されている。なお、歯車４ａ，４ｂや支持体３は図示しない保護ケースに収容されている。
【００１２】
本実施形態の各構成部についてより詳細に説明すると、一対の皮剥ローラ２，２は、その両端が支持体３に回転自在に支持され、略水平方向に隙間を空けて並設されている。各皮剥ローラ２，２は、例えばゴム素材などにより同質、同形状に形成されており、その外周面には、複数の直線状の溝２１が軸線方向に形成されている。そして、両者の隙間の上方には、竹の子６が載せられるようになっている。
【００１３】
つぎに、支持体３は、各皮剥ローラ２，２を支持する一対の支持フレーム３１と、これら一対の支持フレーム３１を連結する連結フレーム３２と、各支持フレーム３１の下端に接合される一対の転倒防止脚３３とから構成されている。各支持フレーム３１は、その上端近傍に２つの貫通孔（図示せず）が形成されており、各皮剥ローラ２，２の回転軸２２，２２を貫通させている。連結フレーム３２は、その長手方向の長さが皮剥ローラ２，２と略同一に形成されており、各支持フレーム３１間の距離を保持するように下端部で接合されている。各転倒防止脚３３は、略平板状に形成されており、その長手方向が連結フレーム３２の長手方向に対して略垂直方向に延出されている。ここで、本第１実施形態では、各支持フレーム３１に形成される２つの貫通孔の距離を適宜異ならせることにより、図３に示すように、各皮剥ローラ２，２は、その隙間幅が一方の端部から他方の端部にかけて徐々に狭くなるように支持されている。なお、図３および以下に示す図５、６、８では、隙間をわかりやすくするため、溝２１の記載を省略している。
【００１４】
つぎに、歯車４ａ，４ｂは、歯数の異なる大小２つの平歯車から構成されている。そして、その中心が各皮剥ローラ２，２の回転軸２２，２２に取り付けられて互いに噛合している。ここで、本第１実施形態では、歯数の少ない歯車４ａと歯数の多い歯車４ｂとの歯車比が１：１．２５のものを用いることで、各皮剥ローラ２，２の角速度を異ならせるようになっている。
【００１５】
つぎに、回転ハンドル５は、皮剥ローラ２の回転軸２２に固定される回転板５１と、この回転板５１の端部に取り付けられた把持部５２とから構成されている。ここで、本第１実施形態では、図３に示すように、回転ハンドル５を一対の皮剥ローラ２，２に対して、その隙間幅が狭い方の端部側に取り付けている。これは、作業者が竹の子の後端部を手に持ってその先端部を皮剥ローラ２，２の隙間に入れる作業が作業者の正面で行い易くするためである。また、本第１実施形態における回転ハンドル５は、一対の皮剥ローラ２，２のうち、歯数の少ない歯車４ａが取り付けられた皮剥ローラ２側に取り付けられており、小さな力で他方の皮剥ローラ２を連動させて回転させられるようになっている。
【００１６】
つぎに、このような構成を備えた本第１実施形態における簡易型竹の子用皮剥機１Ａの作用について説明する。
【００１７】
本簡易型竹の子用皮剥機１Ａによって、茹でて柔らかくした竹の子６の皮を剥く場合、図４に示すように、各皮剥ローラ２，２の外周面に接触するように竹の子６をその隙間上に載置する。このとき、笹の子のように細い竹の子６の場合には、隙間の狭くなっている側に載置し、根曲がり竹のようにそれほど細くない竹の子６の場合には、隙間が拡がっている側に載置する。このように、竹の子６の径や皮の厚さに応じて使用する隙間幅を選択し得るので、多種多様な竹の子６に対して好適な皮剥性能を発揮する。
【００１８】
つぎに、片手で竹の子６の先端を皮剥ローラ２，２の隙間幅の狭い方に軽く押し付けながら、もう片方の手で把持部５２を図４に示すように時計回りに回転させることで、回転板５１を介して一方の皮剥ローラ２を回転させる。これにより、各皮剥ローラ２，２が素早く竹の子６の皮を巻き込めるようになっている。そして、このとき、回転ハンドル５を一対の皮剥ローラ２，２に対して、その隙間幅が狭い方の端部側に取り付けているので、上記のような作業姿勢をとり易くなり、操作性が向上する。
【００１９】
一方の皮剥ローラ２が回転すると、各皮剥ローラ２，２に取り付けられた歯車４ａ，４ｂによって動力が伝達され、他方の皮剥ローラ２が回転し、これらの皮剥ローラ２，２は互いに逆方向に回転する。このとき、歯数の少ない歯車４ａと歯数の多い歯車４ｂとの歯車比が１：１．２５の歯車４ａ，４ｂを用いているので、他方の皮剥ローラ２は減速され、各皮剥ローラ２，２は互いに異なる角速度で回転し、竹の子６に対して一方向の回転力を生じさせる。これにより、各皮剥ローラ２，２は竹の子６を巻き込むおそれが少なくなる。そして、各皮剥ローラ２，２に形成された溝２１は、茹でて柔らかい状態となった竹の子６の皮のみを隙間へ導くように巻き込むとともに、隙間に到達した皮を各皮剥ローラ２，２で狭持しつつ剥ぎ取る。そして、本第１実施形態の簡易型竹の子用皮剥機１Ａでは、回転ハンドル５を約１〜２回程度回転させるだけで、竹の子６の皮を完全に剥ぎ取り、竹の子は皮剥ローラ２，２上に残し、剥ぎ取られた皮は、図示しない皮受け皿に落下して回収される。
【００２０】
上記した皮剥き作業中は、回転ハンドル５から付与される回転力により、支持体３にも少なからず横方向への力が作用する。しかしながら、転倒防止脚３３が各皮剥ローラ２，２の長手方向と略垂直方向に延出するように形成されているので、支持体３にかかる力を吸収し、転倒したり、その位置がずれるのを防止する。これにより、作業者は単に片手で回転ハンドル５を回転させるだけで、面倒な竹の子６の皮剥き作業ができる。また、簡易型竹の子用皮剥機１Ａは、完全な手動式なので、万一、自分の指や袖の裾を皮剥ローラ２，２に巻き込んでしまっても直ちに停止もしくは逆回転させて開放できるため安全性が高い。もちろん、駆動モータ等の機器は一切設けられておらず、さらにその支持体３は、簡素なフレームにより構成されているので、その総重量は比較的軽く、持ち運びに適している。
【００２１】
以上のような本第１実施形態によれば、竹の子６の皮に対する皮剥ローラ２，２の摩擦力を高めて、滑りの少ない効率的な皮剥きができるとともに、各皮剥ローラ２，２の角速度を異ならせて竹の子６の巻き込みを防止し、各皮剥ローラ２，２間の隙間を変化させて多種多様な竹の子６の皮を剥くことができる。
【００２２】
また、回転ハンドル５は、前記一対の皮剥ローラ２，２に対して、その隙間幅が狭い方の端部側に取り付けられているため、作業時の姿勢が取り易く、操作性を向上することができる。
【００２３】
さらに、回転ハンドル５は、歯数の少ない歯車４ａが取り付けられた皮剥ローラ２側に取り付けられているため、小さな力で他方の皮剥ローラ２を連動させて回転させることができる。
【００２４】
また、歯数の少ない歯車４ａと歯数の多い歯車４ｂとの歯車比は、１：１．２５であるため、適度な減速比で２つの皮剥ローラ２，２の速度差を生じさせて竹の子６の皮をスムーズに剥くことができる。
【００２５】
つぎに、本考案に係る簡易型竹の子用皮剥機の第２の実施形態について図面を用いて説明する。なお、本第２実施形態の構成のうち、上述した第１の実施形態で説明した構成と同一若しくは相当する構成については同一の符号を付して再度の説明を省略する。
【００２６】
図５に示すように、本第２実施形態の簡易型竹の子用皮剥機１Ｂの特徴は、各皮剥ローラ２，２の隙間幅が、一方の端部から他方の端部にかけて徐々に狭くするために、円錐台形状の一対のテーパ状皮剥ローラ７を備える点にある。そして、これらテーパ状皮剥ローラ７を、大径部および小径部がそれぞれ隣位するように支持体３に支持させるようになっている。
【００２７】
以上のような本第２実施形態によれば、前述した第１実施形態の効果に加えて、各テーパ状皮剥ローラ７の回転軸を平行な状態で支持するようになっているので、歯車４ａ，４ｂの噛合調整が容易である。
【００２８】
なお、本考案に係る簡易型竹の子用皮剥機１Ａ、１Ｂは、前述した各実施形態に限定されるものではなく、適宜変更することができる。
【００２９】
例えば、前述した第１実施形態では、各皮剥ローラ２，２の隙間幅を変化させて、多種多様な竹の子６に適用できるようにしているがこれに限らず、図６に示すように、各皮剥ローラ２，２の隙間幅を極めて小さくし、一定に設定しても良い。これにより、竹の子６を載置する場所を意識することなく作業に専念することができる。
【００３０】
また、前述した各実施形態では、皮剥ローラ２，２の一端側に歯車４ａ，４ｂを取り付け、他端側に回転ハンドル５取り付けているがこれに限らず、図７に示すように、歯車４ａが取り付けられた端部側に回転ハンドル５を取り付けて、コンパクトな構造にしても良い。
【００３１】
さらに、前述した各実施形態では、転倒防止脚３３を左右対称に形成しているがこれに限らず、図８に示すように、回転ハンドル５から加えられる横方向の力を吸収する部分を反対側より長く延出させてもよい。そして、バランスを保つために対向位置にある転倒防止脚３３の左右の長さ比も変更するようにしてもよい。これにより、より効果的に簡易型竹の子用皮剥機１Ｃの転倒を防止することができる。
【００３２】
【考案の効果】
以上説明したように本考案によれば、竹の子の皮に対する皮剥ローラの摩擦力を高めて、滑りの少ない効率的な皮剥きができるとともに、各皮剥ローラの角速度を異ならせて竹の子の巻き込みを防止し、皮剥ローラ間の隙間幅に大小の差を設けて比較的細い竹の子の皮を少ない回転数で安全に剥くことができる。
【図面の簡単な説明】
【図１】本考案に係る簡易型竹の子用皮剥機の第１の実施形態を示す概観斜視図である。
【図２】図１の反対側から見た概観斜視図である。
【図３】本第１実施形態の簡易型竹の子用皮剥機における平面図である。
【図４】本第１実施形態の簡易型竹の子用皮剥機により竹の子の皮を剥く際の概観斜視図である。
【図５】本考案に係る簡易型竹の子用皮剥機の第２の実施形態を示す平面図である。
【図６】本考案に係る簡易型竹の子用皮剥機の別の実施形態を示す平面図である。
【図７】本考案に係る簡易型竹の子用皮剥機において、歯車の外側に回転ハンドルを取り付けた実施例を示す平面図である。
【図８】本考案に係る簡易型竹の子用皮剥機において、支持板の工夫を示す実施例を示す平面図である。
【符号の説明】
１Ａ，１Ｂ，１Ｃ　簡易型竹の子用皮剥機
２　皮剥ローラ
３　支持体
４ａ，４ｂ　歯車
５　回転ハンドル
６　竹の子
７　テーパ状皮剥ローラ
２１　溝
２２　回転軸
３１　支持フレーム
３２　連結フレーム
３３　転倒防止脚
５１　回転板
５２　把持部
【図１】
0003098330.tif 000003
【図２】
0003098330.tif 000004
【図３】
0003098330.tif 000005
【図４】
0003098330.tif 000006
【図５】
0003098330.tif 000007
【図６】
0003098330.tif 000008
【図７】
0003098330.tif 000009
【図８】
0003098330.tif 000010